(57)【要約】      （修正有）【課題】犬や猫の爪切り作業を簡単に、且つ安全に済ませることができる犬猫用爪切りを提供する。【解決手段】従来の爪切りの機構に、爪を切る長さを規制するストッパーをバネ材で構成する事で、爪を切断する際に発生する切子の逃げを容易にし、更に爪を刃に向けて誘導する爪案内部を組み合わせ、且つ人間工学的に持ちやすく、操作しやすい形状に本体を構成する。【選択図】図１
2014171390.tif 000002
【特許請求の範囲】
【請求項１】
先ず、一端に爪案内部（Ａ）を有し、他端にハンドル支点（Ｂ）を設けた本体（１）と、ハンドル（２）と、１対の切り刃部（Ｄ）が円又は半円状切欠きの形状であり且つ固定用刃（３）には固定用穴（Ｆ）を設け、作動用刃（３´）は力点部（Ｇ）をレバー（２）に連動させうる形状にし、支点（Ｅ）で連結したところの鋏（Ｃ）とを組み合わせる。次に前記本体（１）にバネ板によるストッパー（４）を、爪案内部（Ａ）と鋏（Ｃ）の切り刃部（Ｄ）を挟んで並行する面に位置すべく固定して組み合わせた事を特徴とした犬猫用爪切り。
【請求項２】
ストッパー（４）を可動な保持枠（５）で保持し、前記ストッパー（４）の固定位置の調節を可能とした事を特徴とする特許請求項１による犬猫用爪切り。
【発明の詳細な説明】
【技術分野】
【０００１】
本発明はペットの犬や猫の爪を切る時に必要以上に爪を切ってしまう所謂、深爪を防止出来る爪切り具に関するものである。
【背景技術】
【０００２】
ペットの犬や猫は屋内で飼育されているが、その為に犬や猫の爪は伸びすぎてしまう問題があった。従って飼い主にとってペットの爪の長さの管理は重要なポイントになっている。
【０００３】
しかし飼い主がペットの爪を自分で切ろうとした場合、嫌がって暴れる犬や猫が多く飼い主の思うように爪を切ることは難しい事であった。そのような事から飼い主の多くはペットショップのトリマーや獣医師等専門家に爪切りを頼む事になり多くの費用が掛かるなど何かと不便な事であった。市販品に鋏式の爪切りでその支点部を利用して鉄板を取り付け、深爪の防止を計った大型犬用の爪切りも見受けられたが支点部は操作に伴い動く為、爪停止板も動いてしまう等不便があった。
【０００４】
犬や猫の爪切りに関連した発明は以下のようなものがある。
【特許文献１】特開２００４−１９４６４２
【特許文献２】特開２００４−２０８９９３
【特許文献３】特開２００８−１２２５４
【発明の開示】
【発明が解決しようとする課題】
【０００５】
本発明は、ペットである犬や猫の爪を一般の飼い主が簡単にしかも安全に切る事が出来る事を目的とする。
【課題を解決するための手段】
【０００６】
先ず爪を一定以上の長さに切られないようにする爪停止面（Ｈ）を有するバネ板によるストッパー（４）を本体に設け、次に爪をストッパー（４）の爪停止板（Ｈ）の位置に誘導する摺り鉢状の爪案内部（Ａ）を設ける。次に鋏（Ｃ）を切り刃部（Ｄ）が目的にあう位置になるべく本体（１）に固定し、しかる後、犬や猫の爪を切る際に爪切り本体を人間の手に持った状態での爪切りの作業面の方向と犬や猫の爪の方向が合致するのに最も良い位置関係になるべく、ハンドル（２）の操作方向等を工夫し、該ハンドル（２）と爪を切断する鋏部のレバーを力点部（Ｇ）で連動させる事で目的を可能とした。
【発明の効果】
【０００７】
本発明により爪を切られる事を嫌がっている犬や猫でも、必要以上に爪を切ってしまう所謂、深爪の心配が無くなり又、切るべき爪を容易に爪切りの切断部分に導入出来る為に、飼い主が簡単に安心して自分でペットの爪を切る事が可能になった。従来の爪切りでは切断する爪の先端部を目視しながら操作する必要が有ったが本発明により、大まかに爪の位置を認識しただけで、摺り鉢状の爪案内部（Ａ）に接触している感覚を頼りにしただけでも爪を切ることが可能になった。
【実施例】
【０００８】
請求項１について説明する。
先ず、一端に爪案内部（Ａ）を有し、他端にハンドル支点（Ｂ）を設けた本体（１）と、ハンドル（２）と、鋏（Ｃ）の作用点である一対の切り刃部（Ｄ）が円又は半円状切欠きの形状であり且つ固定用刃（３）には固定用穴（Ｆ）を設け、作動用刃（３´）は力点部（Ｇ）をレバー（２）に連動させうる形状として、支点（Ｅ）で連結したところの鋏（Ｃ）とを組み合わせる。次に前記本体（１）にバネ板によるストッパー（４）を、爪案内部（Ａ）と鋏（Ｃ）の切り刃部（Ｄ）を挟んで並行する面に位置すべく固定して犬猫用爪切りを構成した。
【０００９】
ここで言う鋏とは、この部分の部品構成が所謂西洋ハサミの構造に近い為に用いられただけで有り、単独でハサミとして使用出来る市販の鋏とは異なる事は当然である。本実施例では１対の金属板から構成され、１枚は本体に取り付ける為の固定用穴（Ｆ）と切り刃部（Ｄ）と支軸穴を有し、もう１枚は切り刃部（Ｄ）と支軸穴とレバー部分を有する。このレバー部分は先端部を直角に折り曲げてハンドル（２）と連動して作動する力点部（Ｇ）を有する。
【００１０】
犬や猫の爪は円柱状なので切り刃部（Ｄ）は曲線で構成される事が望ましく、本発明では円形の穴状か半円の切欠き状に構成される。本発明による爪切りを使用する時は、本体を手に持ち、すり鉢状の爪案内部（Ａ）にペットの爪を載せる様にする。爪はすり鉢状の爪案内部（Ａ）を介して鋏（Ｃ）の切り刃部（Ｄ）に誘導され、然る後に本体の反対面に設けられたバネ板で構成されたストッパー（４）の爪停止部（Ｈ）により止められそれ以上に深く爪が入る事はない。バネ板で構成されたストッパー（４）の爪停止部（Ｈ）の弾力は使用時に爪を挿入する時の押す力程度では動かないが切断時に発生する鋏の刃の厚さ分の押し出す力では撓み、爪の切断を妨げる事を防止する。また爪の切断時に生じる爪の切り子の排出を容易にする形状をも有する事が特徴である。本実施例では０．３ミリの板厚のステンレス製板バネを図３の形状に構成して有効であった。この部分がバネ材で有ることは重要な事である
【００１１】
請求項２を詳しく説明する。
ストッパー（４）は本体に固定して置く場合は切ることが出来るペットの爪の長さは一定に成るが本請求項の場合、ストッパー（４）の保持部（５）を本体に対して可動に構成されている為、切る爪の長さを自由に調節できるものである。調整方法はネジを利用して無断階に変化する方法など既知の技術、方法を自由に選択出来る部分である。
【００１２】
従来の爪切り具は爪切り自体を持ち続ける事にも気を使いながら、ペットの爪の先端を注視して使用しなければならなかった。しかし本発明品は比較的大きな面に爪を誘導するだけで自然に爪が切断部に入り込みしかも一定以上深く入ることもない。爪の切断時の状態を直接に目視しないでも感覚的に確認出来る便利さは従来品には無い事だった。また本発明による爪切りの持ちやすさの点では、自然に手のひらに収まった状態の時に親指は自由になっている処が優れている。自然に親指に当たっているハンドル先端を親指で押すという簡単な動作で連動する切り刃部（Ｄ）を作動させ爪を切断する事が可能に成る。
【産業上の利用可能性】
【００１３】
一般家庭でペットとして飼われている犬や猫の爪切りは大変難しく、今までは専門家に依頼する人が多かったが、本発明により飼い主が自分自身で切る事が可能になり多くの出費が節約出来る様になった。
【図面の簡単な説明】
【００１４】
【図１】は本発明の平面図である。
【図２】は本発明の断面図である。
【図３】は本発明のストッパーの斜視図である。
【符号の説明】
【００１５】
１      本体
２      ハンドル
３      鋏の固定刃
３´    鋏の作動刃
４      ストッパー
５      ストッパー押さえ部
Ａ      爪案内部
Ｂ      ハンドル支軸
Ｃ      鋏
Ｄ      切り刃部
Ｅ      鋏支点
Ｆ      固定用穴
Ｇ      作動刃の力点部
Ｈ      爪停止部
【図１】
2014171390.tif 000003
【図２】
2014171390.tif 000004
【図３】
2014171390.tif 000005